(57)【要約】【課題】加熱により毛穴を拡張させ、毛穴拡張で老廃物の排出とか、加熱による爽快感と言った感覚が得られ、更には装用性に優れ、かつ、使い勝手が良いパック化粧料を提供することである。【解決手段】透水性材料を用いて構成された容器１と、容器１内面に設けられた掛止用突起３とを有し、前記掛止用突起３による掛止によって容器１が平坦状に保持されるよう構成されてなり、前記容器１内には石膏粉末２が充填されている。【選択図】　　図１
2004026751.tif 000002
【特許請求の範囲】
【請求項１】
透水性材料を用いて構成された容器と、
前記容器内に充填された石膏
とを具備することを特徴とする化粧用具。
【請求項２】
容器を構成する透水性材料が不織布であることを特徴とする請求項１の化粧用具。
【請求項３】
容器内面には掛止用突起が構成されており、前記掛止用突起による掛止によって容器が平坦状に保持されるよう構成されてなることを特徴とする請求項１又は請求項２の化粧用具。
【発明の詳細な説明】
【０００１】
【発明の属する技術分野】
本発明はパックに用いられる化粧用具に関する。
【０００２】
【発明が解決しようとする課題】
従来より、人体の顔や首、肩、腕などの各所に、保湿や汚れ除去などの目的で、パック化粧料が用いられている。
【０００３】
このようなパック化粧料の殆どは、ポリエチレングリコールとかポリビニルアルコール等の高分子物質が用いられたものである。
【０００４】
しかし、これらの高分子物質を用いたパック化粧料は発熱性に乏しいことから、毛穴を拡張させることは出来ず、毛穴拡張により老廃物の排出とか、加熱による爽快感と言った感覚は得られない。
【０００５】
そこで、発熱性を有するパック化粧料（化粧用具）として石膏を用いることが考えられた。
【０００６】
すなわち、石膏粉末を水で溶き、これをパックしようとする部位に塗布することが考えられた。
【０００７】
しかし、石膏粉末を水で溶いたものを顔に塗ることは決して簡単なものでは無い。例えば、どの程度塗れば良いかさえ判り難い。又、石膏粉末を用意することすら簡単では無い。すなわち、発熱性を有するパック化粧料として石膏を用いるにしても、その使い勝手は悪い。
【０００８】
従って、本発明が解決しようとする課題は、使い勝手が良いパック化粧料を提供することである。
【０００９】
特に、加熱により毛穴を拡張させ、毛穴拡張で老廃物の排出とか、加熱による爽快感と言った感覚が得られ、更には装用性に優れ、かつ、使い勝手が良いパック化粧料を提供することである。
【００１０】
【課題を解決するための手段】
前記の課題は、透水性材料を用いて構成された容器と、
前記容器内に充填された石膏
とを具備することを特徴とする化粧用具によって解決される。
【００１１】
特に、透水性を有する不織布を用いて構成された容器と、
前記容器内に充填された石膏
とを具備することを特徴とする化粧用具によって解決される。
【００１２】
すなわち、例えば透水性を有する不織布で構成された袋内に石膏粉末を充填しておき、パック時に、この袋に対して水を掛け、この水が掛けられたものをパック位置、例えば顔の上に置くと、時間の経過と共に石膏粉末が水と反応し、発熱反応によって熱が発生する。これによって、置かれている部分の毛穴は拡張するようになり、老廃物の排出が盛んなものになる。かつ、加熱されることから、気持ちが高揚したり、気持ちが良くなったりすると言った効果も得られる。
【００１３】
本発明は不織布のような透水性材料で袋（容器）を構成しているから、格別な加工を施さなくても、水を掛けただけで、水は内部に進入して行く。従って、石膏をこねると言った作業をしなくても済み、使い勝手は極めて良い。しかも、充填されているものは石膏粉末であるから、均一に発熱が起きる。
【００１４】
更に、石膏は不織布のような透水性材料で覆われているから、パック時にベトツキ感は無く、装用性にも優れている。
【００１５】
又、パック終了時の水と反応した石膏粉末は硬化しており、パック位置の形状が転写されており、場合によっては、独特の形状のものとなっていることから、これを装飾品とすると言った形態も考えられる。
【００１６】
又、容器内面には掛止用突起を構成しておき、前記掛止用突起による掛止によって容器が平坦状に保持されるよう構成しておくと、充填された石膏粉末が場所に寄らず均一なものになり、一部に石膏粉末が偏ると言ったことを防止でき、使用性・装用感が一段と良いものになる。
【００１７】
【発明の実施の形態】
図１〜図４は本発明になる化粧用具（パック化粧料）の一実施形態を示すもので、図１は本発明の化粧用具の一部を切り欠く平面図、図２は断面図、図３は使用状態の説明図、図４は使用後の説明図である。
【００１８】
各図中、１は、繊維を絡ませることによって構成された矩形状シート１ａ，１ｂの端縁部を熱溶着することによって構成された袋である。この袋１を構成する素材は、繊維を絡ませたもので構成されているから、繊維間には隙間が多く形成されており、この隙間を通って水は外から内に進入できる。但し、後述する石膏粉末やミネラル分の粉末は、隙間が有るからと言っても、この隙間から漏れ出ることは無い。
【００１９】
２は、袋１内に充填されている石膏粉末である。尚、ミネラル分の粉末も袋１内に充填されている。
【００２０】
３は、袋１の内面側に形成された鋭角な突起である。そして、袋１の一面側に設けられた突起３は対向する袋１の他面（シートを構成する繊維）に引っ掛かり、又、袋１の他面側に設けられた突起３は対向する袋１の一面（シートを構成する繊維）に引っ掛かり、これらの掛止力によって袋を構成するシート１ａ，１ｂ同士がくっつくようになっている。つまり、面ファスナー（マジックテープ）の如くの構成であるから、袋１の相対向している面１ａ，１ｂ同士がくっつくようになっている。これによって、すなわち突起３によって、袋１は平坦状に保持されるようになっている。この為、袋１内に充填されている石膏粉末やミネラル分の粉末は、一部に偏在しない、すなわち袋１内で自由には動き難くなっている。
【００２１】
４は、矩形状シート１ｂの外面に接合して設けられた不透水性シートである。この不透水性シート４を設けた理由は、パック時に、不透水性シート４の側が皮膚の側となるように置いた場合には、不透水性シート４によって遮られて水分が皮膚の側に漏れ出ることは無く、水分が漏れ出たことによる不快感が起きないようになるからである。かつ、不透水性シート４によって遮られて発熱による蒸気が皮膚の側に出ることも無くなるからである。
【００２２】
次に、上記のように構成させたパック化粧料の使用方法について説明する。
【００２３】
先ず、袋１の矩形状シート１ａの外側から水をかける。これによって、水は簡単に内部に侵入する。
【００２４】
次に、これをパックしようとする部位、例えば鼻の部分に置き、その状態でしばらく待つ。尚、不透水性シート４が皮膚に接するように置く。
【００２５】
この間、内部に侵入した水は内部にある石膏と反応を始め、発熱を呈する。これによって、置かれている部位は加熱され、毛穴などが拡張され、老廃物の排出作用が促進される。かつ、暖められるから、精神衛生上も爽快な気分になる。又、その部位に特定の薬剤が塗布されておれば、その薬理効果も奏される。
【００２６】
さて、所定時間が経過し、内部に充填されている石膏粉末全てが水と反応を終了する頃には、硬化して来る。従って、鼻の部位に置かれておれば、このものはその人の鼻の部位の形状がそのまま転写されたものとなる。つまり、記念になる形状のものを得ることが出来るようになり、装飾品として飾ることも出来る。
【００２７】
【発明の効果】
使い勝手が良いパック化粧料が得られる。特に、加熱により毛穴を拡張させ、毛穴拡張で老廃物の排出とか、加熱による精神開放性（爽快感）と言った感覚が得られ、更には装用性に優れ、かつ、使い勝手が良いパック化粧料が得られる。
【図面の簡単な説明】
【図１】本発明の化粧用具の一部を切り欠く平面図
【図２】本発明の化粧用具の断面図
【図３】本発明の化粧用具の使用状態の説明図
【図４】本発明の化粧用具の使用後の説明図
【符号の説明】
１　　　　　　　袋
２　　　　　　　石膏粉末
３　　　　　　　突起
【図１】
2004026751.tif 000003
【図２】
2004026751.tif 000004
【図３】
2004026751.tif 000005
【図４】
2004026751.tif 000006